(57)【要約】  流体製品ディスペンサであって、駆動壁（１１）を有する流体製品貯蔵器（１０）であって、当該駆動壁（１１）が押し込まれることで容積が小さくなる、という流体製品貯蔵器（１０）と、投与開口部（１５）であって、駆動壁が押下されることで散布される流体製品の通り道となる投与開口部（１５）と、投与開口部（１２）を露出させた形で貯蔵器を囲む外装材（２１；２２；２３；２４，３，４）と、を有し、前記開口部が有する面の１つ（４）を介して駆動壁（１１）が駆動できる形となっており、前記外装材は、２つの側面部（２１１；２２１；２３１；２４１）、底面部（２１０；２２０；２３０；２４０）、正面部（４）、そして背面部（３；２２４；２３４）を有し、側面部と背面部とは、単一の部品である外装材の本体（２１；２２；２３；２４）によって形成されて、貯蔵器がはめ込まれるハウジング（２１２；２２２；２３２；２４２）を内部に形作っており、特徴となるのは、外装材の本体に正面部（４）が付加された上で固定され、それによって、貯蔵器を中に封じ込めた形で内部ハウジングを閉じていることである、というディスペンサ。
2005512906.tif 000002
【特許請求の範囲】
【請求項１】
流体製品ディスペンサであって、
・駆動壁（１１）を有する流体製品貯蔵器（１０）であって、当該駆動壁（１１）が押し込まれることで容積が小さくなる、という流体製品貯蔵器（１０）と、
・投与開口部（１５）であって、駆動壁が押下されることで散布される流体製品の通り道となる投与開口部（１５）と、
・投与開口部（１２）を露出させた形で貯蔵器を囲む外装材（２１；２２；２３；２４，３，４）と、を有し、
前記開口部が有する面の１つ（４）を介して駆動壁（１１）が駆動できる形となっており、
前記外装材は、２つの側面部（２１１；２２１；２３１；２４１）、底面部（２１０；２２０；２３０；２４０）、正面部（４）、そして背面部（３；２２４；２３４）を有し、側面部と背面部とは、単一の部品である外装材の本体（２１；２２；２３；２４）によって形成されて、貯蔵器がはめ込まれるハウジング（２１２；２２２；２３２；２４２）を内部に形作っており、
特徴となるのは、外装材の本体に正面部（４）が付加された上で固定され、それによって、貯蔵器を中に封じ込めた形で内部ハウジングを閉じていることである、
という前記ディスペンサ。
【請求項２】
外装材の本体（２１；２４）には、背面部（３）が付加された上で固定され、それによって、貯蔵器を中に封じ込めた形で内部ハウジングが閉じられること、
を特徴とする請求項１に記載のディスペンサ。
【請求項３】
正面部（４）および背面部（３）は切り出されたプレートの形となっていること、
を特徴とする請求項２に記載のディスペンサ。
【請求項４】
外装材の本体（２２；２３）にはさらに背面部（２２４；２３４）が形成されていること、
を特徴とする請求項１に記載のディスペンサ。
【請求項５】
正面部（４）は切り出されたプレートの形となっていること、
を特徴とする請求項４のいずれかに記載のディスペンサ。
【請求項６】
本体（２１；２２）は射出成形プラスチック素材で作られていること、
を特徴とする請求項２又は３に記載のディスペンサ。
【請求項７】
本体（２１）は、プラスチック製の部品をカットする形で作られていること、
を特徴とする請求項６に記載のディスペンサ。
【請求項８】
本体（２４）は、膨張素材または発泡素材から作られていること、
を特徴とする請求項２に記載のディスペンサ。
【請求項９】
本体（２３）は、プラスチック素材の熱成形によって作られること、
を特徴とする請求項３に記載のディスペンサ。
【請求項１０】
貯蔵器にはネック（１２）が形成されており、当該ネック（１２）は、外装材のネック部分（２１３；２２３；２３３；２４３）に固く嵌まること、
を特徴とする請求項１乃至９のいずれかに記載のディスペンサ。
【請求項１１】
エンドピース（１３）には、外装材と固くかみ合う装着部（４１）が形成されていること、
を特徴とする請求項１乃至１０のいずれかに記載のディスペンサ。
【請求項１２】
正面部（４）にはウィンドウ（４１）が形成されており、当該ウィンドウから、駆動壁（１１）に触れ、これを押し込むことが可能であること、
を特徴とする請求項１乃至１１のいずれかに記載のディスペンサ。
【請求項１３】
外装材の本体によって形成された内部ハウジングは、貯蔵器が内接する内部空間を形作っていること、
を特徴とする請求項１乃至１２のいずれかに記載のディスペンサ。
【発明の詳細な説明】
【技術分野】
【０００１】
本発明は流体製品ディスペンサに関する。
【背景技術】
【０００２】
本発明に関わる流体製品ディスペンサは、流体製品貯蔵器であって、押下されることで当該貯蔵器の容積を小さくする駆動壁を有する前記貯蔵器と、駆動壁を押下によって散布される流体製品の通り道となる投与開口部と、そして、投与開口部を露出した状態にすることもできる形で貯蔵器を覆う外装材と、を有し、前記外装材は、それを介して駆動壁を駆動できる、という面部を有している。
【０００３】
具体的には、この種のディスペンサは、特許文書ＦＲ−２ ７８４ ３６１号に記述されている。本文書に記述されたディスペンサは、貯蔵器および投与開口部が形成された投与組立部品と、前記投与組立部品を少なくとも部分的に覆う外装材とを有する。外装材については、投与組立部品を囲む１枚または複数枚の柔軟で折り曲げ可能なシートから作ることができる。このような、シートを切って曲げるという加工で得られる外装材に関する不都合は、最終的な外観が紙箱やボール箱のような印象を与える、という点にある。これは、特に高価な香水の場合のように、散布対象の製品によっては適切でない場合がある。
【０００４】
本発明の目的は、先行技術に関するこうした不都合を、これとは異なる、より美的な種類のディスペンサ外装材を規定することで克服する、ということである。目的の１つとして、外装材の見た目を、特に外装材を構成する面部同士の接合箇所で改善する。
ＷＯ ９７／４６４６５号の文書には、可撓性ポーチと、当該可撓性ポーチを少なくとも部分的に覆っている外装材とを有するディスペンサが記述されている。外装材にはシェルが形成されており、当該シェルは２つシェル部分を、一方のシェル部分が他方のシェル部分の上でピボット運動するように連結された形で有しており、それによって、両シェル部分の間に前記可撓性ポーチを封じ込めることができる。外装材は、射出成形によって、一体の形に形成されている。
【発明の開示】
【発明が解決しようとする課題】
【０００５】
本発明は、別の外装材、すなわち、設計モジュール性を備え、それによって、構造にまで手を加えなくても外見を簡単に変更することのできるという外装材、を提供することを目的とする。
【課題を解決するための手段】
【０００６】
上記目的の達成のために、本発明が提供するのは、流体製品ディスペンサであって、駆動壁を有する流体製品貯蔵器であって、当該駆動壁が押し込まれることで容積が小さくなる、という流体製品貯蔵器と、投与開口部であって、駆動壁が押下されることで散布される流体製品の通り道となる投与開口部と、投与開口部を露出させた形で貯蔵器を囲む外装材と、を有し、前記開口部が有する面の１つを介して駆動壁が駆動できる形となっており、前記外装材は、２つの側面部、底面部、正面部、そして背面部を有し、側面部と背面部とは、単一の部品である外装材の本体によって形成されて、貯蔵器がはめ込まれるハウジングを内部に形作っており、特徴となるのは、外装材の本体に正面部が付加された上で固定され、それによって、貯蔵器を中に封じ込めた形で内部ハウジングを閉じていることである、というディスペンサである。
【発明の効果】
【０００７】
こうした構成では、外装材の大部分が単一部品の外装材本体によって形成されており、当該本体に正面部および／または背面部が付加されるか、固定されることで、内部ハウジングを、その中に貯蔵器（より一般的に言えば、投与組立部品）を閉じ込めた形で、閉じることができる。単一部品の外装材本体については、さらに、正面部または背面部が形成された形としてもよく、そうすれば、内部ハウジングを閉じるためには、貯蔵器のうち開いているほうの面に部材を付加するだけでよい。こうした構成であれば、正面部および／または背面部は、切り抜き単一プレートの形にできるので、効果的である。外装材の外見は、本体に手を加えないでも変更できる。
【０００８】
単一部品の本体の製造技法については、実現しようとする見た目の効果に応じて、様々なものが考えられる。一例として、単一の部分本体は、膨張素材または発泡素材からプラスチック切片を切り出す形で、または、プラスチック素材を熱成形する形で、射出成形プラスチック素材で作ることができる。背面部または正面部については、用いられる製造法によっては、単一部分の本体と一緒に作ることもできる。
【０００９】
本発明に関する別の特性として、投与開口部は貯蔵器に取り付けられたエンドピースに形成されており、前記エンドピースは効果的な構成としてキャップを備えている、というものがある。また、効果的な構成として、貯蔵器には、外装材のネック部分と固くかみ合うように作られたネックが形成されていること、とする。
また、本発明に関する別の側面として、正面部にはウィンドウが形成されており、当該ウィンドウから、駆動壁に触れ、これを押し込むことが可能であること、とする。
【００１０】
また、効果的な構成として、外装材の本体によって形成された内部ハウジングは、貯蔵器が内接する内部空間を形作っていること、とする。
【発明を実施するための最良の形態】
【００１１】
本発明については、ここから、本発明に関する実施の形態の非限定的な例として示す添付図面を参照しながら、さらに詳細に説明していく。
図面に示す４つの実施の形態では、外装材は貯蔵器１０と投与開口部１５とを内部に収容するが、これらは、同じ投与組立部品１によって形成することができる。投与組立部品１とは、協力して流体製品の貯蔵および投与を可能とする構成要素全てを意味する。その他の、ディスペンサを構成する他の要素については、例えば、外装材によって提供される。
【００１２】
図面に示す実施の形態では、この単一の投与組立部品１は、格納用空間とネック１２とが形作られた容器または貯蔵器１０の形を取り、当該ネック１２は、貯蔵器１０の内側と外側とをつなぐ通路を提供している。さらに、貯蔵器１０は、少なくとも１つ、変形可能な駆動壁１１を有し、前記駆動壁が押下されると、貯蔵器の内部容積は変化する。また、効果的な構成として、駆動壁は弾性変形が可能であり、そのため、駆動が完了するたびに、貯蔵器の内部容積が最大となる初期状態（または、休止状態）に戻ることになる。本発明によれば、投与組立部品１はさらに、貯蔵器１０のネック１２に取り付けられた投与エンドピース１３を有する。このエンドピース１３には、投与開口部１５および装着用付加部材１４が形成されているが、これらの機能については後で説明する。
【００１３】
この投与組立部品１における貯蔵器１０の中には、少量の流体製品と気体（例えば、空気）とが格納されている。そのため、使用が非常に簡単であり、貯蔵器１０の駆動壁１１を押下するだけでよい。そうすれば、流体製品と気体とが投与開口部１５を通って放出され、２相の霧状噴流が生じることになる。
この場合、投与組立部品１は、エンドピースが取り付けられる貯蔵器が基礎となる形で形成されるが、他の形の投与組立部品を考えることも可能である。例えば、上述のＦＲ−２７８４３６１号に記載された投与組立部品などがあるが、これは、密封フィルムと組み合わされた熱成形プロフィール付きのシェルから形成されるのが効果的である。しかし、投与組立部品１が有する特定の形状が、本発明にとって重要というわけではない。それが特に当てはまるのは、この投与組立部品を収容する外装材の方である。
【００１４】
図１乃至４に示す４つの実施の形態では、外装材は、単一部品の外装材本体を有し、当該本体には少なくとも、外装材の底面部と２つの側面部とが形作られている。そして、底面部と側面部とによって内部収容リセスが形成され、その中に投与組立部品の貯蔵器をはめ込むことができる。これが、本発明の基本概念である。
ここで図１を参照する。単一部品の外装材本体２１には、底面部２１０と２つの側面部２１１とが形成されているが、これらは一体につながっており、さらにネック部分２１３を形成している。こうした構成によって、内部リセス２１２が形成されるが、当該リセス内には、ネック部分２１３にネック１２が固く嵌まる状態で、貯蔵器１０が配置される。外装材はさらに、背面部３と正面部４とを有し、これらは、単一部品の本体２１のそれぞれの側に加えられ、そこに固定される。これによって、投与組立部品１１（または、特に、その貯蔵器１０）は、背面部３と正面部４とによって閉じられたハウジング２１２の中に封じ込められる形となる。また、効果的な構成として、正面部４はウィンドウ４１を有し、このウィンドウから、作動壁１１に触れて、これを指で押下することができる。
【００１５】
たとえば、単一部品の本体２１は、射出成形プロセスまたは押出工法を実施した後で、スライスにカットする、という形でプラスチックから作ることができる。留意すべき点は、単一部品の本体２１が均一な厚みを有するスライスの形をとることであるが、この厚みの均一は、プラスチックの素材の切片をカットすることで容易に実現できる。正面部および背面部は、どのようなプレートから作ってもよいが、必要な美的プロフィールを備えた形にカットされて作られる。ここに示す例では、正面部および背面部は、従来型の香水瓶の形となっている。
【００１６】
さらに、投与組立部品１に、投与外装材の一部を形成するキャップを設けることも可能である。こうしたキャップは、例えば、貯蔵器１０の外装材と同じ技術を用いて作ることができる。さらに、キャップ２５１を本体とし、当該本体のそれぞれの側に背中部３５、正面部４５が取り付けられる、という形にすることができる。このように形成されるキャップは、エンドピース１３の装着部１４に固く嵌められて、投与開口部１５を閉じる。
【００１７】
図２に示す第２の実施の形態でも、単一部品の外装材本体２２には、底面部２２０、２つの側面部２２１、そして、ネック部分２２３が形成されている。さらに、ここでの外装材本体２２には、外装材背面部２２４も形成されている。従って、この外装材本体２２は、投与組立部品１の貯蔵器１０がはめ込まれる内部ハウジング２２２を形成するボックスの形となり、当該ハウジング内に貯蔵器１０がはめ込まれる場合、そのネック１２は必ずネック部分２２３に固く嵌まる形となる。単一部品の本体２２の内部ハウジング２２２は、正面部４を付加して、固定することで閉じられるが、正面部については、図１に示した第１の実施の形態の場合と同じ形状、すなわち、作動壁１１へのアクセスを可能とするウィンドウ４１を備えた形、とすればよい。
【００１８】
たとえば、この単一部品の外装材本体２２は、射出成形技術を用いて製造することができる。同じことは、単一部品の本体２５２と正面部４５との組み合わせで作ることのできるキャップにも当てはまる。
図３に示す実施の形態でも、単一部品の外装材本体２３には、底面部２３０、２つの側面部２３１、そして、ネック部分２３３が形成されている。単一部品の本体２３にはさらに、背面部２３４も形成されている。従って、ここでの単一部品の本体２３も、投与組立部品１の貯蔵器１０を収容できる内部ハウジング２３２を形作る一種のボックスを形成している。さらに、この単一部品の本体２３には、外向きに突き出た周縁エッジ２３５が形成されている。この種の単一部品の本体２３は、熱成形技術を用いれば、容易に製造することができる。正面部４は、これまでの実施の形態における正面部と同様に、単一部品の本体２３のエッジ２３５に付加して、容易に固定することができ、それによって、内部に貯蔵器１０を封じ込めた形でハウジング２３２を閉じることができる。また、オプションとして、背面において、装飾プレート３を単一部品の本体２３の背面部２３４に付加することもできる。
【００１９】
キャップについても、特に、正面部４５および装飾的な裏面部３５（必須ではない）と共に用いることのできるキャップ２５３の本体に関しては、同じ熱成形技術を用いて作ることができる。
図４に示す最後の実施の形態も、単一部品の外装材本体２４には、底面部２４０、２つの側面部２４１、そして、ネック部分２４３が形成されている。また、内部収容ハウジング２４２が、投与組立部品１の貯蔵器１０のために設けられている。本実施の形態での単一部品本体２４については、カット又は成形加工して所望の形状とした、膨張素材または発泡素材から製造すればよい。背面部３および正面部４については、図１に示した第１の実施の形態の場合と同様に、付加および固定を行えばよい。同じことは、キャップの形成にも当てはまる。
【００２０】
いずれの実施の形態においても、貯蔵器については、本体に形成された内部ハウジングの中に（望ましくは全体が）内接する形で収容され、正面部および／または背面部が完全に、または実質的に平らになる、とするのが効果的である。しかし、面に形状を付けることも除外されない。
本発明では、１つまたは２つの面部材を共に用いて内部ハウジングを閉じ、そうすることで、投与組立部品を封じ込める、という単一部品の外装材本体から、完全に美的な外装材を作ることができる。
【図面の簡単な説明】
【００２１】
【図１】本発明に関する第１の実施の形態による流体製品ディスペンサを示す分解斜視図である。
【図２】図１と同様の図であり、本発明に関する第２の実施の形態を示す図である。
【図３】上の２つの図と同様の図であり、本発明に関する第３の実施の形態による流体製品ディスペンサを示す図である。
【図４】これまでの図と同様の図であり、本発明に関する第４の実施の形態を示す図である。
【図１】
2005512906.tif 000003
【図２】
2005512906.tif 000004
【図３】
2005512906.tif 000005
【図４】
2005512906.tif 000006
【国際調査報告】
2005512906.tif 000007
2005512906.tif 000008
2005512906.tif 000009
2005512906.tif 000010